(57)【要約】【課題】遺体の日本国内から海外への移送あるいは海外から日本国内への移送に便利で、また、組立が容易であり、輸送費用の低減化を図ることが可能な国際輸送コンテナとその組立方法を提供する。【解決手段】コンテナ本体は、底板１１と四方を囲む４枚の側板１２、１３と天板１４と複数本の足板１５を備える。足板１５を除く各板は金属シート１６が内貼りされる。底板１１と各側板１２、１３、側板１２と側板１３、底板１１と各足板１５、天板１５と各側板１２、１３は、操作冶具Ｔを操作穴ｈに挿入し、操作冶具Ｔで一方の固定金具Ｕ１のロック片２１を他方の金具Ｕ２の係合溝２２に係合し固定操作することで、組立てることができる。【選択図】図１
2020186007.tif 000002
【特許請求の範囲】
【請求項１】
長方形状の底板と、四方を囲む４枚の側板と、長方形状の天板を備えるコンテナ本体を備え、各板は内面に金属シートが貼付けられるとともに、組立て姿勢において相対する一方の接合部にロック片を備える固定金具が、相対する他方の接合部に係合溝を備える固定金具がそれぞれ埋設され、各板の外面に、組立て姿勢において相対する一方の固定金具のロック片を他方の固定金具の係合溝に係合し固定操作するための操作穴が設けられていることを特徴とする国際輸送コンテナ。
【請求項２】
コンテナ本体が底板の外面に取付けられる複数の足板を備えており、
底板と足板の組立て姿勢において相対する一方の接合部にロック片を備える固定金具が、相対する他方の接合部に係止溝を備える固定金具がそれぞれ埋設され、足板の外面に、組立て姿勢において相対する一方の固定金具のロック片を他方の固定金具の係合溝に係合し固定操作するための操作穴が設けられていることを特徴とする、
請求項１記載の国際輸送コンテナ。
【請求項３】
各操作穴に固定操作片を挿入し、固定操作片の回動操作により一方の固定金具のロック片を他方の固定金具の係合溝に係合させ、組立て姿勢の各板を固定するように構成してなることを特徴とする、
請求項１または請求項２に記載の国際輸送コンテナ。
【請求項４】
各板が、燻煙処理された杉板からなることを特徴とする、
請求項１ないし請求項３のいずれか一項に記載の国際輸送コンテナ。
【請求項５】
国際輸送コンテナの組立方法であって、
国際輸送コンテナは、長方形状の底板と、四方を囲む４枚の側板と、長方形状の天板を備えるコンテナ本体を備え、各板は内面に金属シートが貼付けられるとともに、組立て姿勢において相対する一方の接合部にロック片を備える固定金具が、相対する他方の接合部に係合溝を備える固定金具がそれぞれ埋設され、各板の外面に、組立て姿勢において相対する一方の固定金具のロック片を他方の固定金具の係合溝に係合し固定操作するための操作穴が設けられており、
各板を順次組立て姿勢に保持し、各操作穴に固定操作冶具を挿入し、固定操作冶具の回動操作により一方の固定金具のロック片を他方の固定金具の係合溝に係合して固定し、これにより国際輸送コンテナを組立てるようにしたことを特徴とする、国際輸送コンテナの組立方法。
【発明の詳細な説明】
【技術分野】
【０００１】
本発明は、遺体の国際輸送に用いる国際輸送コンテナと、国際輸送コンテナの組立方法に関するものである。
【背景技術】
【０００２】
在留外国人や訪日外国人が日本国内で亡くなられた場合、遺体を保存処理して棺に納め、航空コンテナで空輸し、海外に移送することが行われている。また、邦人が海外で旅行や赴任中に亡くなられた場合、現地で火葬して遺骨を持ち帰るか、火葬せず遺体を保存処理して棺に納め、航空コンテナで日本に移送するようにしている。
【０００３】
棺を航空コンテナで空輸する際、遺体を二重、三重に防護するため、棺を木製コンテナに収めて梱包することが行われている。このため、棺の総重量が２００ｋｇ近くと重くなり、日本から海外に移送する場合、海外から日本に移送する場合、いずれの場合も輸送費用が高くつくという問題がある。
【０００４】
従来より、航空コンテナに関する提案（特許文献１）や、棺に関する提案（特許文献２〜特許文献４）がなされている。
【先行技術文献】
【特許文献】
【０００５】
【特許文献１】実開昭６３−１８０５９５号公報
【特許文献２】特開２０１８−６８６４１号公報
【特許文献３】特表２０１８−５１９９０１号公報
【特許文献４】特開２０１９−１７８４３号公報
【発明の概要】
【発明が解決しようとする課題】
【０００６】
しかしながら、上記各特許文献の棺は、空輸する場合、上記した重い木製のコンテナに収めなければならない点は従来と同じであり、輸送費用が高くつく。また、棺を収容する木製コンテナは比較的重量物であり現地での組立てが容易でなく、需要に必要とされる本数の保管スペースが必要である。
【０００７】
本発明は、上記課題に鑑みてなされたもので、遺体の日本国内から海外への移送あるいは海外から日本国内への移送に便利で、また、組立が容易であり、輸送費用の低減化を図ることが可能な国際輸送コンテナとその組立方法を提供することを目的とする。
【課題を解決するための手段】
【０００８】
上記課題を解決するために、本発明は、国際輸送コンテナであって、
長方形状の底板と、四方を囲む４枚の側板と、長方形状の天板を備えるコンテナ本体を備えてなり、各板は内面に金属シートを貼付けるとともに、組立て姿勢において相対する一方の接合部にロック片を備える固定金具を、相対する他方の接合部に係合溝を備える固定金具をそれぞれ埋設し、各板の外面に、組立て姿勢において相対する一方の固定金具のロック片を他方の固定金具の係合溝に係合し固定操作するための操作穴を設けたことを主要な特徴とする。
【０００９】
本発明は、コンテナ本体が底板の外面に取付けられる複数の足板を備えており、
底板と足板の組立て姿勢において相対する一方の接合部にロック片を備える固定金具を、相対する他方の接合部に係止溝を備える固定金具をそれぞれ埋設し、足板の外面に、組立て姿勢において相対する一方の固定金具のロック片を他方の固定金具の係合溝に係合し固定操作するための操作穴を設けたことを第２の特徴とする。
【００１０】
本発明は、各操作穴に固定操作片を挿入し、固定操作片の回動操作により一方の固定金具のロック片を他方の固定金具の係合溝に係合させ、組立て姿勢の各板を固定するように構成してなることを第３の特徴とする。
【００１１】
本発明は、各板が、燻煙処理された杉板からなることを第４の特徴とする。
【００１２】
本発明は、国際輸送コンテナの組立方法であって、
国際輸送コンテナは、長方形状の底板と、四方を囲む４枚の側板と、長方形状の天板を備えるコンテナ本体を備え、各板は内面に金属シートを貼付けるとともに、組立て姿勢において相対する一方の接合部にロック片を備える固定金具を、相対する他方の接合部に係合溝を備える固定金具をそれぞれ埋設し、各板の外面に、組立て姿勢において相対する一方の固定金具のロック片を他方の固定金具の係合溝に係合し固定操作するための操作穴を設けてなり、
各板を順次組立て姿勢に保持し、各操作穴に固定操作冶具を挿入し、固定操作冶具の回動操作により一方の固定金具のロック片を他方の固定金具の係合溝に係合して固定し、これにより国際輸送コンテナを組立てるようにしたことを主要な特徴とする。
【発明の効果】
【００１３】
本発明の国際輸送コンテナによると、コンテナの組立性に優れ、また、軽量化により、遺体の日本国内から海外への移送あるいは海外から日本国内への移送に便利であり、国際輸送費用の低減を図ることができるという効果を奏する。
【００１４】
また、本発明の国際輸送コンテナの組立方法によると、コンテナを短時間で組み立てることができ、また、組立後のコンテナは気密性能や液密性能、保温性能に優れ、遺体を安心して国際輸送できるという効果を奏する。
【図面の簡単な説明】
【００１５】
【図１】国際輸送コンテナの斜視図、
【図２】国際輸送コンテナの組立に用いる固定金具の説明図で、（Ａ）は正面図、（Ｂ）は断面図、（Ｃ）は操作片を示す図、
【図３】国際輸送コンテナを構成する底板および側板を示す平面図、
【図４】国際輸送コンテナを構成する天板および足板を示す平面図、
【図５】国際輸送コンテナの組立状態を示す要部断面図、
【図６】国際輸送コンテナの組立状態を示す要部正面図である。
【発明を実施するための最良の形態】
【００１６】
本発明を実施するための最良の形態について図面を参照しながら説明する。図１ないし図６は本発明に係る一実施形態を示すもので、これらの図において、符号１０は国際輸送コンテナを示している。
【００１７】
国際輸送コンテナ１０は、棺型形状をした輸送コンテナで、遺体の国際輸送、すなわち、日本国内から海外への空輸等による移送、海外から日本国内への空輸等による移送に使用される。なお、国内各地への空輸等に使用することも可能である。
【００１８】
国際輸送コンテナ（コンテナ本体）１０は、図１に示すように、長方形状の底板１１と、四方を囲む４枚の側板１２，１３と、長方形状の天板１４と、複数の足板１５から組み立てられている。底板１１、４枚の側板１２，１３、天板１４の内面にはそれぞれアルミ箔シート１６が全体に内貼りされている。
【００１９】
図２は、上記国際輸送コンテナ１０を組み立てるための固定金具ユニットＵを示している。固定金具ユニットＵは、一対の固定金具Ｕ１、Ｕ２からなり、同図（Ａ）（Ｂ）に示すように、一方の固定金具Ｕ１は、軸２１ａ回りに回動させて引出し可能および引込み可能なロック片２１を有し、他方の固定金具Ｕ２は、前記ロック片２１に係合される係合溝２２を有している。固定金具Ｕ１のロック片２１は、同図（Ｃ）に示す操作片Ｔ、すなわち固定金具Ｕ１の軸２１ａに設けられた多角形状の係合穴２１ｂに係合する操作片（Ｌ字形の多角レンチ）Ｔにより回動操作可能となっている。
【００２０】
図１に示すように、底板１１の内面（上面）には、底板１１と４枚の側板１２，１３を組立固定するための固定金具Ｕ２が、前端部（接合部）および後端部（接合部）に複数個所（図示例では３か所ずつ）、左右側端部（接合部）に複数個所（図示例では７か所ずつ）、板溝（Ｔ字溝）内に埋設されている。また、底板１１の外面（裏面）には、底板１１に４本の足板１５を固定するための固定金具Ｕ２が、複数個所（図示例では１本あたり２か所）、板溝（Ｔ字溝）内に埋設されている。同じく、天板１４の内面（裏面）には、天板１４を４枚の側板１２，１３に組立固定するための固定金具Ｕ２が、前端部（接合部）および後端部（接合部）に複数個所（図示例では３か所ずつ）、左右側端部（接合部）に複数個所（図示例では７か所ずつ）、板溝（Ｔ字溝）内に埋設されている。
【００２１】
図１に示すように、前後に位置する側板１２の上下左右の各端面（接合部）には、側板１２と底板１１、側板１２と左右の側板１３、側板と天板１４を組立固定するための固定金具Ｕ１が、複数個所（図示例では３か所ずつ）、板溝（Ｔ字溝）内に埋設されている。また、左右に位置する側板１３の上下の各端面（接合部）には、側板１３と底板１１、側板１３と天板１４を組立固定するための固定金具Ｕ１が、複数個所（図示例では上下に６か所ずつ）、板溝（Ｔ字溝）内に埋設されている。さらに、各側板１３の内面には、左右の側板１３と前後の側板１２を組立固定するための固定金具Ｕ２が、前端部（接合部）および後端部（接合部）に複数個所（図示例では３か所ずつ）、板溝（Ｔ字溝）内に埋設されている。
【００２２】
４本の足板１５には、足板１５と底板１１を組立固定するための固定金具Ｕ１が、上面（接合面）に複数個所（図示例では２か所）、板溝（Ｔ字溝）内に埋設されている。また、４枚の側板１２，１３と４本の足板１５には、埋設された固定金具Ｕ１毎にその近傍に、操作冶具Ｔの先端を挿入しロック片２１を回動操作して固定可能とする固定操作穴ｈ（図５、図６参照）が設けられている。
【００２３】
上記構成の国際輸送コンテナ１００は、本実施形態では、高さ４８０ｍｍと３６０ｍｍの２パターン（いずれも幅５９５ｍｍ、長さ１９８０ｍｍ、板厚２０ｍｍ）が用意されるが、高さ３４０ｍｍ〜５００ｍｍ、幅５００ｍｍ〜６５０ｍｍ、長さ１０００ｍｍ〜３０００ｍｍ、板厚２０ｍｍ〜６０ｍｍの範囲でサイズ寸法を変更可能である。
【００２４】
各板（底板１１、側板１２、１３、天板１４、足板１５）は、燻熱処理された杉材からなる。杉材は軽量で柔軟性があり、製材で出た木くずで杉材を燻煙熱処理する。燻煙熱処理により杉材を乾燥させ、また、虫の混入を防止し、混入した虫を死滅させる。
【００２５】
次に、上記構成の国際輸送コンテナ１０の組立方法および使用方法を以下に説明する。
【００２６】
組立前の各板（底板１１、側板１２、１３、天板１４、足板１５）は、予めアルミ箔シート１６が内貼りされ（足板１５を除く）、また、各板の接合部に固定金具Ｕ１、Ｕ２が予め埋設され、かかる状態で保管スペースに積み上げ保管される。図３および図４は組立前の各板を示すもので、これらの図面からは固定金具Ｕ１、Ｕ２が省略されている。
【００２７】
保管スペースから組立前の各板（底板１１、側板１２、１３、天板１４、足板１５）を組立用の操作片Ｔと一緒に現地の組立場所に運び、組立スペースにシートを敷いてその上に各板を並べる。
【００２８】
最初に、底板１１に４枚の側板１２、１３を組み付ける。底板１１の接合部に側板１２、１３の接合部を合わせ、側板１２、１３の外面から各固定操作穴ｈに操作冶具Ｇを順次挿入して回動させることにより、固定金具Ｕ１のロック片２１を底板１１側の固定金具Ｕ２の係合溝２２に係合させ、底板１１と各側板１２、１３を固定する。図５に固定金具Ｕ１、Ｕ２による底板１１と側板１２の固定状態を示す。同様に、側板１２の外面から各固定操作穴ｈに操作冶具Ｇを順次挿入して回動させることにより、固定金具Ｕ１のロック片２１を側板１３側の固定金具Ｕ２の係合溝２２に係合させ、側板１２と側板１３を固定する。図６に固定金具Ｕ１、Ｕ２による側板１２と側板１３の固定状態を示す。
【００２９】
次に、底板１１に４本の足板１５を組み付ける。底板１１の接合部に各足板１５の接合部を合わせ、足板１５の外面から各固定操作穴ｈに操作冶具Ｇを順次挿入して回動させることにより、固定金具Ｕ１のロック片２１を底板１１側の固定金具Ｕ２の係合溝２２に係合させ、底板１１と各足板１５を固定する。
【００３０】
最後に、操作冶具Ｇを用いて、各固定金具Ｕ１、Ｕ２どうしの固定状態を確認し、天板１５０を除き、国際輸送コンテナ１０の組立を完了する。
【００３１】
次に、保存処理された遺体を国際輸送コンテナ１０の中に収める。遺体は必要に応じて納体袋に予め収納する。国際輸送コンテナ１０の内面と遺体の間の隙間は必要に応じて詰め物を配置する。
【００３２】
次に、各側板１２、１３の上端面に天板１４を被せ、各側板１２、１３の外面から各固定操作穴ｈに操作冶具Ｇを順次挿入して回動させることにより、固定金具Ｕ１のロック片２１を天板１４側の固定金具Ｕ２の係合溝２２に係合させ、天板１４を側板１２、１３に固定する。
【００３３】
これにより、国際輸送コンテナ１０による遺体の輸送が可能となる。フォークリフトの爪を国際輸送コンテナ１０の足板１５の隙間に挿入し、航空コンテナ内や飛行機の貨物スペース内に収容することができる。なお、日本国内から海外に空輸した場合、海外から国内に空輸した場合、遺体は到着地で国際輸送コンテナ１０から現地の棺に移し替えられる。
【００３４】
本実施形態の国際輸送コンテナ１００によると、以下の効果を奏する。
【００３５】
（１）組立性に優れる。各板に設けた固定操作穴ｈに操作冶具Ｇを順次挿入し、操作冶具Ｇで各固定金具Ｕ１、Ｕ２どうしをロックさせる単純な操作のみで、輸送コンテナを短時間にかつ容易に組み立てることができる。組立の熟練作業がいらない。従来の木製コンテナや棺本体の保管に比べ、保管スペースが最小限で済み、また、保管場所から組立場所への搬送費用も安く済む。
【００３６】
（２）気密性能、液密性能に優れる。柔らかい杉材を使用するので、板材の組立時の密着性に優れ、また、内面にアルミ箔シートを全面に貼り付けたことと合わせ、コンテナの気密性能、液密性能に優れる。内面にアルミ箔シートを全面に貼り付けたことで保温性能も優れる。
【００３７】
（３）軽量化を図ることができる。コンテナ単体で約３０ｋｇと軽く、従来の木製コンテナと棺の組合せに比べるとコンテナの重量を約１／３以下に軽量化でき、輸送費用の低減に寄与する。
【００３８】
本実施形態では、各板材に杉材を使用したが、これに限らない。他の柔らかい木材、例えば松材、パルサ材、ヒノキ材なども使用可能である。
【００３９】
かくして、本発明によると、組立が容易で、軽量であり、遺体の国際輸送に便利な国際輸送コンテナを実現することができた。
【産業上の利用可能性】
【００４０】
本発明は、遺体を輸送する国際輸送コンテナとして、また、国際輸送コンテナの組立方法として利用可能である。
【符号の説明】
【００４１】
１０  国際輸送コンテナ
１１  底板
１２，１３  側板
１４  天板
１５  足板
１６  アルミ箔シート
２１  ロック片
２１ａ  軸
２１ｂ  係合穴
２２  係合溝
ｈ  固定操作穴
Ｕ  固定金具ユニット
Ｕ１，Ｕ２  固定金具
Ｔ  操作冶具
【図１】
2020186007.tif 000003
【図２】
2020186007.tif 000004
【図３】
2020186007.tif 000005
【図４】
2020186007.tif 000006
【図５】
2020186007.tif 000007
【図６】
2020186007.tif 000008